(57)【特許請求の範囲】
【請求項１】
苗載台に形成した左右一対の縦リブの上部と下部に、それぞれ左右方向に伸延する上下一対の苗押え体支持部材を左右一対の上・下側ステーを介して横架し、これら上・下側苗押え体支持部材間に、苗載台の表面に沿って上下方向に伸延する複数の苗押え体を左右方向に間隔を開けて架設し、これら苗押え体により苗載台上に載置した苗マットを押えて、同苗マットが浮上がらないようにした田植機の苗押え構造において、上側ステーは、縦リブの上部に突設した固定側ステー形成体と、同固定側ステー形成体の先端部に基端部を枢支して、上下回動自在とした可動側ステー形成体とを具備し、同可動側ステーに上側苗押え体支持部材を、その軸線廻りに回動自在かつ着脱自在に取付ける一方、下側ステーは、縦リブの下部に突設して、同下側ステーの上端部に下側苗押え体支持部材を、その軸線廻りに回動自在かつ着脱自在に取付け、
可動側ステー形成体は、固定側ステー形成体の先端部に基端部を弾性手段により上方へ回動付勢させて枢支し、同可動側ステー形成体の上側縁部に、複数の係合用凹部を長手方向に間隔を開けて形成し、同係合用凹部に上側苗押え体支持部材を係合させる一方、縦リブの下部に突設した下側ステーは、苗載台の表面と略直交する方向に伸縮調節自在とし、
可動側ステー形成体の係合用凹部に係合した上側苗押え支持部材と、可動側ステー形成体との間に、係合保持体を着脱自在に介設し、
係合保持体は、上側苗押え体支持部材に回動自在かつ摺動自在に嵌合した嵌合片と、同嵌合片に突設して可動側ステー形成体に係止可能とした係止片とを具備することを特徴とする田植機の苗押え構造。
【請求項２】
下側苗押え体支持部材は、下側ステーの先端部にクリップを介して取付けたことを特徴とする請求項１記載の田植機の苗押え構造。
【発明の詳細な説明】
【０００１】
【発明の属する技術分野】
本発明は、田植機の苗押え構造に関するものである。
【０００２】
【従来の技術】
従来、田植機の苗押え構造の一形態として、苗載台に形成した左右一対の縦リブの上部と下部に、それぞれ左右方向に伸延する上下一対の苗押え体支持部材を左右一対の上・下側ステーを介して横架し、これら上・下側苗押え体支持部材間に、苗載台の表面に沿って上下方向に伸延する複数の苗押え体を左右方向に間隔を開けて架設し、これら苗押え体により苗載台上に載置した苗マットを押えて、同苗マットが浮上がらないようにしたものがある。
【０００３】
そして、上側苗押え体支持部材は、左右一対の上側ステーに着脱自在に取付けると共に、下側苗押え体支持部材は、左右一対の下側ステーに枢支している。
【０００４】
このようにして、上側苗押え体支持部材を左右一対の上側ステーより取外すと共に、同苗押え体支持部材を介して苗押え体を下側苗押え体支持部材を中心に後方へ、すなわち、苗載台から離隔する方向へ回動させて、同苗載台上に残った苗マットを回収することができるようにしている。
【０００５】
【発明が解決しようとする課題】
ところが、上記した苗押え構造では、苗載台上に残った苗マットを回収する際に、同苗マットに、後方へ回動させた苗押え体の下部側が近接しているために、同苗マットを容易に取出すことができず、かかる回収作業が煩雑になっている。
【０００６】
【課題を解決するための手段】
そこで、本発明では、苗載台に形成した左右一対の縦リブの上部と下部に、それぞれ左右方向に伸延する上下一対の苗押え体支持部材を左右一対の上・下側ステーを介して横架し、これら上・下側苗押え体支持部材間に、苗載台の表面に沿って上下方向に伸延する複数の苗押え体を左右方向に間隔を開けて架設し、これら苗押え体により苗載台上に載置した苗マットを押えて、同苗マットが浮上がらないようにした田植機の苗押え構造において、上側ステーは、縦リブの上部に突設した固定側ステー形成体と、同固定側ステー形成体の先端部に基端部を枢支して、上下回動自在とした可動側ステー形成体とを具備し、同可動側ステーに上側苗押え体支持部材を、その軸線廻りに回動自在かつ着脱自在に取付ける一方、下側ステーは、縦リブの下部に突設して、同下側ステーの上端部に下側苗押え体支持部材を、その軸線廻りに回動自在かつ着脱自在に取付け、可動側ステー形成体は、固定側ステー形成体の先端部に基端部を弾性手段により上方へ回動付勢させて枢支し、同可動側ステー形成体の上側縁部に、複数の係合用凹部を長手方向に間隔を開けて形成し、同係合用凹部に上側苗押え体支持部材を係合させる一方、縦リブの下部に突設した下側ステーは、苗載台の表面と略直交する方向に伸縮調節自在とし、可動側ステー形成体の係合用凹部に係合した上側苗押え支持部材と、可動側ステー形成体との間に、係合保持体を着脱自在に介設し、係合保持体は、上側苗押え体支持部材に回動自在かつ摺動自在に嵌合した嵌合片と、同嵌合片に突設して可動側ステー形成体に係止可能とした係止片とを具備することを特徴とする田植機の苗押え構造である。
【０００７】
また、本発明は、次の構成にも特徴を有する。
【００１１】
下側苗押え体支持部材は、下側ステーの先端部にクリップを介して取付けたこと。
【００１２】
【発明の実施の形態】
以下に、本発明の実施の形態について説明する。
【００１３】
すなわち、本発明に係る田植機の苗押え構造は、基本的構造として、苗載台に形成した左右一対の縦リブの上部と下部に、それぞれ左右方向に伸延する上下一対の苗押え体支持部材を左右一対の上・下側ステーを介して横架し、これら上・下側苗押え体支持部材間に、苗載台の表面に沿って上下方向に伸延する複数の苗押え体を左右方向に間隔を開けて架設し、これら苗押え体により苗載台上に載置した苗マットを押えて、同苗マットが浮上がらないようにしている。
【００１４】
そして、特徴的構造として、上側ステーは、縦リブの上部に突設した固定側ステー形成体と、同固定側ステー形成体の先端部に基端部を枢支して、上下回動自在とした可動側ステー形成体とを具備し、同可動側ステーに上側苗押え体支持部材を、その軸線廻りに回動自在かつ着脱自在に取付ける一方、下側ステーは、縦リブの下部に突設して、同下側ステーの上端部に下側苗押え体支持部材を、その軸線廻りに回動自在かつ着脱自在に取付けている。
【００１５】
このようにして、上側苗押え体支持部材を上側ステーより取外すことにより、下側苗押え体支持部材を中心にして、苗押え体の上部側を後方へ回動させて苗載台より離隔させることができる。
【００１６】
従って、苗載台上に残った大量の苗マットを、上方より容易に取出して回収することができる。
【００１７】
また、下側苗押え体支持部材を下側ステーより取外すことにより、上側苗押え体支持部材を中心にして、苗押え体の下部側を上方へ回動させて苗載台より離間させることができる。
【００１８】
この際、上側ステーは、固定側ステー形成体の先端部に基端部を枢支した可動側ステー形成体を、上方へ回動させることにより、苗押え体を苗載台の上面に沿わせて上方へ移動させることができ、その後に、苗押え体の下部側を、可動側ステー形成体に取付けた上側苗押え体支持部材を中心に上方へ回動させることができる。
【００１９】
従って、苗載台上に残った少量の苗マットを、下方より容易に取出して回収することができる。
【００２０】
しかも、苗押え体は、上方へ移動させながら、下部側を上方へ回動させることができるために、苗押え体の下端部を苗載台の下端部まで配置して、苗マットを下端部まで確実に押え付け可能とした場合に、苗載台の下端部に補助苗押え体等を配設している場合にも、同補助苗押え体等に苗押え体の下端部を干渉させることなく、苗押え体の下部側を上方へ回動させることができる。
【００２１】
さらに、可動側ステー形成体は、固定側ステー形成体の先端部に基端部を弾性手段により上方へ回動付勢させて枢支し、同可動側ステー形成体の上側縁部に、複数の係合用凹部を長手方向に間隔を開けて形成し、同係合用凹部に上側苗押え体支持部材を係合させる一方、縦リブの下部に突設した下側ステーは、苗載台の表面と略直交する方向に伸縮調節自在としている。
【００２２】
このようにして、可動側ステー形成体を弾性手段の付勢力に抗して下方へ回動させることにより、同可動側ステー形成体の係合用凹部に係合させた上側苗押え体支持部材を係合解除すると共に、他の所望の係合用凹部に上側苗押え体支持部材を係合させる一方、下側苗押え体支持部を支持する下側ステーを適宜伸縮調節することにより、苗押え体と苗載台の表面との間隔調節を行なうことができて、苗マットの肉厚に適応させた苗押え体の位置調節が簡単に行なえる。
【００２３】
また、可動側ステー形成体の係合用凹部に係合した上側苗押え支持部材と、可動側ステー形成体との間に、係合保持体を着脱自在に介設している。
【００２４】
このようにして、係合保持体により上側苗押え体支持部材を係合用凹部に確実に係合・保持させることができる。
【００２５】
そして、係合保持体は、上側苗押え体支持部材に回動自在かつ摺動自在に嵌合した嵌合片と、同嵌合片に突設して可動側ステー形成体に係止可能とした係止片とを具備している。
【００２６】
このようにして、係止片を可動側ステー形成体に係止・解除操作することにより、同可動側ステー形成体から上側苗押え体支持部材を楽に着脱することができる。
【００２７】
また、下側苗押え体支持部材は、下側ステーの先端部にクリップを介して取付けている。
【００２８】
このようにして、下側苗押え体支持部材を下側ステーより楽に取外すことができて、苗押え体の上下回動操作を迅速に行なうことができる。
【００２９】
【実施例】
以下に、本発明の実施例を図面を参照しながら説明する。
【００３０】
図１及び図２に示すＡは、本発明に係る田植機であり、同田植機Ａは、走行部１の後方に植付部２を昇降機構３を介して連結している。
【００３１】
走行部１は、前後方向に伸延する機体フレーム10の前部に原動機部11を設けると共に、後部に原動機部11と連動連結したミッション部12を設け、これら原動機部11とミッション部12との間に運転部13を配設し、同運転部13の下方に位置する機体フレーム10の部分にフロントアクスルケース14を設けて、同フロントアクスルケース14の左右側部にそれぞれ前車輪15,15 を取付ける一方、機体フレーム10の後端部にリヤアクスルケース16を設けて、同リヤアクスルケース16の左右側部にそれぞれ後車輪17,17 を取付けている。
【００３２】
そして、運転部13は、原動機部11の後部にハンドルコラム20を一体的に立設し、同ハンドルコラム20の上端部にハンドル21をハンドル支軸22を介して取付け、同ハンドル21の後方位置に座席23を配設し、これらハンドル21と座席23との間にステップ部24を張設している。
【００３３】
また、ステップ部24は、後端縁部を上方へ立上げると共に、後方へ伸延して座席支持部25を形成し、同座席支持部25の後端縁部をさらに後方へ延設して、後側ステップ部26を形成し、同後側ステップ部26の左右側方にそれぞれ後車輪フェンダ部27,27 を張出し状に一体成形している。
【００３４】
植付部２は、植付ミッションケース30の後部に植付伝動ケース31を連動連設すると共に、同植付伝動ケース31の左右側方にも、それぞれ植付ミッションケース30に軸ケース32,32 を介して連動連結した植付伝動ケース31,31 を配設して、これら植付伝動ケース31上に苗載台37を前高後低の傾斜状に載設し、同苗載台37の下端縁部の直後方位置に、植付爪33を各植付伝動ケース31の後端部に連動連結して配置し、各植付伝動ケース31の下方位置にはセンターフロート34とサイドフロート35,35 を配設して、複数条の苗植付けが行なえるようにしている。
【００３５】
そして、苗載台37は、図２にも示すように、矩形板状の苗載台本体50の上面に、各条毎に苗マットを規制・案内するための縦リブ51を左右幅方向に一定の間隔を開けて突設し、所定の縦リブ51,51 間には苗マット押え手段52を架設して、同苗マット押え手段52により各苗マットを苗載台本体50側に押えて、各苗マットが浮上がらないようにしており、また、所定の縦リブ51,51 の下部間には、補助苗マット押え手段53を架設して、各苗マットの下端部を苗載台本体50側に押えて、植付爪33による苗ブロックの切削・取出しが確実に行なえるようにしている。54は苗マット受体、95は延長苗載台である。
【００３６】
昇降機構３は、前後方向に伸延するトップリンク40と左右一対のロワリンク41,41 と昇降用シリンダ42とを具備して、植付部２を昇降自在に連結している。
【００３７】
上記のような構成において、本発明の要旨は、苗押え構造、すなわち、苗マットを押える苗マット押え手段52の構造にあり、以下に図２〜図１０を参照しながら説明する。
【００３８】
苗マット押え手段52は、図２、図８及び図９に示すように、三条分の苗マットを押えるべく、左側端に位置する縦リブ51と、左側から四番目の縦リブ51との間、そして、この四番目の縦リブ51と右側端に位置する縦リブ51との間にそれぞれ介設している。
【００３９】
かかる苗マット押え手段52を支持する左右一対の縦リブ51,51 の上部と下部には、それぞれ左右一対の上側ステー55,55 と左右一対の下側ステー56,56 とを突設し、左右一対の上側ステー55,55 間に、左右方向に伸延する棒状の上側苗押え体支持部材57を横架する一方、左右一対の下側ステー56,56 間に、左右方向に伸延する棒状の下側苗押え体支持部材58を横架し、これら上・下側苗押え体支持部材57,58 間に、苗載台本体50の表面に沿って上下方向に伸延する複数の苗押え体59を左右方向に間隔を開けて架設し、これら苗押え体59により苗載台本体50上に載置した苗マットを上方より押えて、同苗マットが苗載台本体50より浮上がり状に離れないようにしている。
【００４０】
上側ステー55は、図３及び図４に示すように、縦リブ51の上部に前後一対の支持板60,61 を固定ボルト62,62 により固設し、後側の支持板61より後方へ向けて固定側ステー形成体63を突設し、同固定側ステー形成体63の先端部に、可動側ステー形成体64の基端部を、左右方向に軸線を向けた枢軸65により枢支して、同可動側ステー形成体64を上下回動自在となすと共に、枢軸65に弾性手段としてのコイルバネ66を巻回し、同コイルバネ66の一端66a を固定側ステー形成体63の先端部に係止片63a を介して係止し、かつ、他端66b を可動側ステー形成体64の基端部に係止片64a を介して係止して、同コイルバネ66により可動側ステー形成体64を上方へ回動付勢している。
【００４１】
可動側ステー形成体64は、上側縁部に四個の係合用凹部67,67,67,67 を長手方向に間隔を開けて形成し、各係合用凹部67に上側苗押え体支持部材57を係合可能とし、また、下側縁部には、断面略Ｕ字状に折り返して形成した係止受片68を設けて、同係止受片68に、上側苗押え体支持部材57を可動側ステー形成体64の係合用凹部67に係合・保持するための係合保持体69を係止するようにしている。
【００４２】
係合保持体69は、図５及び図６にも示すように、上面開口の断面略Ｃ字状に形成した嵌合片70と、同嵌合片70の左側端部より後外方へ突設して弾性復元力を有する係止片71と、同係止片71より下方へ突設した操作片72と、嵌合片70の右側端部より後方へ突設した指掛り片73と、嵌合片70の外周面に上方より着脱自在に嵌合するべく板バネにより断面略Ｃ字状に形成した弾性嵌合片74とを具備している。57a は抜け止め用突片、71a は補強用リブである。
【００４３】
このようにして、係合保持体69は、上側苗押え体支持部材57に嵌合片70を下方より嵌合すると共に、同嵌合片70の外周面に弾性嵌合片74を上方より嵌合して、嵌合片70を上側苗押え体支持部材57に回動自在かつ摺動自在に取付けることができる。
【００４４】
そして、可動側ステー形成体64の係合用凹部67に上側苗押え体支持部材57の端部を係合させると共に、可動側ステー形成体64の係止受片68に係止片71を下方より係止させることにより、上記係合用凹部67に上側苗押え体支持部材57を係合・保持させることができる。
【００４５】
また、上側苗押え体支持部材57の係合を解除する際には、指掛り片73に中指等を掛けて、操作片72を親指等により操作して、係止片71を係止受片68より係止解除し、同状態にて係合保持体69を内側方へ摺動移動させれば、上側苗押え体支持部材57を係合用凹部67より上方へ取外すことができる。
【００４６】
さらに、係合保持体69を上側押え体支持部材57より取外す場合には、弾性嵌合片74を嵌合片70より上方に取外せば、嵌合片70を上側苗押え体支持部材57より下方へ取外すことができる。
【００４７】
下側ステー56は、図７及び図８にも示すように、縦リブ51の下部に支持板75を固設し、同支持板75より筒状の固定側ステー形成体76を突設し、同固定側ステー形成体76中に棒状の可動側ステー形成体77の基端部77a を苗載台本体50に対して進退摺動自在に挿通すると共に、同基端部77a を固定側ステー形成体76に取付けた調節用ボルト78により固定・解除可能として、可動側ステー形成体77を進退位置調節（伸縮調節）可能としており、可動側ステー形成体77は、中途部77b を下方へ屈曲させ、さらに、先端部77c を後方へ屈曲させて、同先端部77c に板バネにより形成した挾持式のクリップ79を取付けている。
【００４８】
そして、クリップ79に下側苗押え体支持部材58の端部をその軸線廻りに回動自在かつ着脱自在に取付けている。
【００４９】
また、可動側ステー形成体77の中途部77b には、左右方向に伸延するストッパー片80を取付ける一方、下側苗押え体支持部材58の端部に当接片81を下方へ向けて突設しており、同当接片81は、図７及び図９に示す側面視にて時計廻りに下側苗押え体支持部材58が回動した際に、ストッパー片80に当接して、同下側苗押え体支持部材58の回動を規制するようにしている。
【００５０】
苗押え体59は、図９及び図１０にも示すように、上側苗押え体支持部材57に先端部を連設した上部側支持片85と、同上部側支持片85の基端部に上部を連設した苗押え片86と、同苗押え片86の下端部に基端部を連設すると共に、下側苗押え体支持部材58に先端部を連設した下部側支持片87とから形成して、苗押え片86が直接苗マットに当接して、同苗マットの浮上がりを防止するようにしている。
【００５１】
そして、下部側支持片87は、下側苗押え体支持部材58よりも下方に配置して、同下部側支持片87の中途部と下側苗押え体支持部材58との間に前記苗マット受体54を介設している。
【００５２】
このようにして、上側苗押え体支持部材57を上側ステー55,55 より取外すことにより、下側苗押え体支持部材58を中心にして、苗押え体59の上部側を後方へ回動させて苗載台本体50より離隔させることができる。
【００５３】
この際、下側苗押え体支持部材58の回動は、ストッパー片80に当接片81が当接して規制される。
【００５４】
従って、苗載台本体50上に残った苗マットを、上方より取出して回収することができる。
【００５５】
また、下側苗押え体支持部材58を下側ステー56,56 より取外すことにより、上側苗押え体支持部材57を中心にして、苗押え体59の下部側を上方へ回動させて苗載台本体50より離隔させることができる。
【００５６】
この際、上側ステー55は、固定側ステー形成体63の先端部に基端部を枢支した可動側ステー形成体64が、コイルバネ66により上方へ回動付勢されているために、苗押え体59が苗載台本体50の上面に沿って上方へ移動され、その後に、苗押え体59の下部側を、可動側ステー形成体64に取付けた上側苗押え体支持部材57を中心に、上方へ回動させることができる。
【００５７】
従って、苗載台本体50上に残った苗マットを、下方より取出して回収することができる。
【００５８】
しかも、苗押え体59は、上方へ移動させながら、下部側を上方へ回動させることができるために、苗押え体59の下端部を苗載台本体50の下端部まで配置して、苗マットを下端部まで確実に押え付けることができ、そして、苗載台本体50の下端部に補助苗マット押え手段53を配設しているにもかかわらず、同補助苗マット押え体手段53に苗押え体59の下端部を干渉させることなく、苗押え体59の下部側を上方へ回動させることができる。
【００５９】
また、可動側ステー形成体64をコイルバネ66の上方回動付勢力に抗して下方へ回動させることにより、同可動側ステー形成体64の係合用凹部67に係合させた上側苗押え体支持部材57を係合解除すると共に、他の所望の係合用凹部67に上側苗押え体支持部材57を係合させる一方、下側苗押え体支持部58を支持する下側ステー56を適宜伸縮調節することにより、苗押え片86と苗載台本体50の表面との間隔調節を行なうことができて、苗マットの肉厚に適応させた苗押え片86の配設位置調節が簡単に行なえる。
【００６０】
補助苗マット押え手段53は、図７及び図８に示すように、前記苗マット押え手段52を支持する左右一対の縦リブ51,51 の下部に、それぞれ支持フレーム90,90 を後方へ向けて突設し、両支持フレーム90,90 の上端部間に左右方向に伸延する横フレーム91を横架して、同横フレーム91に複数の補助苗押え体92を左右方向に間隔を開けて取付けている。
【００６１】
ここで、補助苗押え体92は、苗押え体59と重なり合わないように、背面視にて左右方向に位置ずれさせて配置しており、中途部92a を苗押え体59の下部側支持片87よりも上方に配置すると共に、先端部92b を苗押え体59の苗押え片86の下端部と略同一高さに配置している。
【００６２】
このようにして、補助苗押え体92により苗マットの下端部を押えて、植付爪33により所定の苗ブロックの切削、取出し、さらには植付けが確実に行なえるようにしている。
【００６３】
図１１〜図１２は、他の実施例としての係合保持体69を示しており、同係合保持体69は、前記係合保持体69と基本的構造を同じくしているが、嵌合片70を円筒状に形成して、上側苗押え体支持部材57の端部より嵌合し、その後に、同上側苗押え体支持部材57の端部に抜け止め用突片57a を形成して、嵌合片70が抜けないようにしている。
【００６４】
【発明の効果】
本発明によれば、次のような効果が得られる。
【００６５】
請求項１記載の本発明では、上側ステーは、縦リブの上部に突設した固定側ステー形成体と、同固定側ステー形成体の先端部に基端部を枢支して、上下回動自在とした可動側ステー形成体とを具備し、同可動側ステーに上側苗押え体支持部材を、その軸線廻りに回動自在かつ着脱自在に取付ける一方、下側ステーは、縦リブの下部に突設して、同下側ステーの上端部に下側苗押え体支持部材を、その軸線廻りに回動自在かつ着脱自在に取付けているために、上側苗押え体支持部材を上側ステーより取外すことにより、下側苗押え体支持部材を中心にして、苗押え体の上部側を後方へ回動させて苗載台より離隔させることができる。
【００６６】
従って、苗載台上に残った大量の苗マットを、上方より容易に取出して回収することができる。
【００６７】
また、下側苗押え体支持部材を下側ステーより取外すことにより、上側苗押え体支持部材を中心にして、苗押え体の下部側を上方へ回動させて苗載台より離間させることができる。
【００６８】
この際、上側ステーは、固定側ステー形成体の先端部に基端部を枢支した可動側ステー形成体を、上方へ回動させることにより、苗押え体を苗載台の上面に沿わせて上方へ移動させることができ、その後に、苗押え体の下部側を、可動側ステー形成体に取付けた上側苗押え体支持部材を中心に上方へ回動させることができる。
【００６９】
従って、苗載台上に残った少量の苗マットを、下方より容易に取出して回収することができる。
【００７０】
しかも、苗押え体は、上方へ移動させながら、下部側を上方へ回動させることができるために、苗押え体の下端部を苗載台の下端部まで配置して、苗マットを下端部まで確実に押え付け可能とした場合に、苗載台の下端部に補助苗押え体等を配設している場合にも、同補助苗押え体等に苗押え体の下端部を干渉させることなく、苗押え体の下部側を上方へ回動させることができる。
【００７１】
本発明では、可動側ステー形成体は、固定側ステー形成体の先端部に基端部を弾性手段により上方へ回動付勢させて枢支し、同可動側ステー形成体の上側縁部に、複数の係合用凹部を長手方向に間隔を開けて形成し、同係合用凹部に上側の苗押え体支持部材を係合させる一方、縦リブの下部に突設した下側ステーは、苗載台の表面と略直交する方向に伸縮調節自在としているために、可動側ステー形成体を弾性手段の付勢力に抗して下方へ回動させることにより、同可動側ステー形成体の係合用凹部に係合させた上側苗押え体支持部材を係合解除すると共に、他の所望の係合用凹部に上側苗載せ体支持部材を係合させる一方、下側苗押え体支持部を支持する下側ステーを適宜伸縮調節することにより、苗押え体と苗載台の表面との間隔調節を行なうことができて、苗マットの肉厚に適応させた苗押え体の位置調節が簡単に行なえる。
【００７２】
本発明では、可動側ステー形成体の係合用凹部に係合した上側苗押え支持部材と、可動側ステー形成体との間に、係合保持体を着脱自在に介設しているために、係合保持体により上側苗押え体支持部材を係合用凹部に確実に係合・保持させることができる。
【００７３】
本発明では、係合保持体は、上側苗押え体支持部材に回動自在かつ摺動自在に嵌合した嵌合片と、同嵌合片に突設して可動側ステー形成体に係止可能とした係止片とを具備しているために、係止片を可動側ステー形成体に係止・解除操作することにより、同可動側ステー形成体から上側苗押え体支持部材を楽に着脱することができる。
【００７４】
請求項２記載の本発明では、下側苗押え体支持部材は、下側ステーの先端部にクリップを介して取付けているために、下側苗押え体支持部材を下側ステーより楽に取外すことができて、苗押え体の上下回動操作を迅速に行なうことができる。
【図面の簡単な説明】
【図１】本発明に係る苗押え構造を具備する田植機の側面図。
【図２】苗載台の背面図。
【図３】上側ステーの側面図。
【図４】同上側ステーの平面図。
【図５】係合保持体の側面図。
【図６】同係合保持体の平面図。
【図７】下側ステーの側面図。
【図８】同下側ステーの背面図。
【図９】苗押え体の上側開放状態説明図。
【図１０】同苗押え体の下側開放状態説明図。
【図１１】他実施例としての係合保持体の側面図。
【図１２】同係合保持体の平面図。
【符号の説明】
Ａ  田植機
１  走行部
２  植付部
３  昇降機構
52  苗マット押え手段
【図１】
0003996275.tif 000002
【図２】
0003996275.tif 000003
【図３】
0003996275.tif 000004
【図４】
0003996275.tif 000005
【図５】
0003996275.tif 000006
【図６】
0003996275.tif 000007
【図７】
0003996275.tif 000008
【図８】
0003996275.tif 000009
【図９】
0003996275.tif 000010
【図１０】
0003996275.tif 000011
【図１１】
0003996275.tif 000012
【図１２】
0003996275.tif 000013